(57)【要約】【課題】曲線状あるいは折れ線状に配列しても接合部分に隙間が生じることなく、しかも廃棄物を封じ込めることができるコンクリートブロックを提供すること。【解決手段】廃棄物とセメントと水を混練して得た廃棄物含有コンクリートＡ１の周りをモルタル又はコンクリートＡ２で被覆したコンクリートブロックＡにおいて、正面及び両側面は、同じ曲率の円弧状曲面を有する２本の円柱体１，１を左右対称に配置して形成され、一方の側面１ｂに、他方の側面１ｃ及び正面１ａの曲率と同じ曲率の円弧状であり、かつコンクリートブロックを左右に並べて接合する際に、接合するコンクリートブロックの側面又は正面を嵌め合わせる切欠き部２を設けた。【選択図】図１
2009045797.tif 000002
【特許請求の範囲】
【請求項１】
廃棄物とセメントと水を混練して得た廃棄物含有コンクリートの周りをモルタル又はコンクリートで被覆したコンクリートブロックにおいて、
正面及び両側面は、同じ曲率の円弧状曲面を有する２本の円柱体を左右対称に配置して形成され、
一方の側面に、他方の側面及び正面の曲率と同じ曲率の円弧状であり、かつコンクリートブロックを左右に並べて接合する際に、接合するコンクリートブロックの側面又は正面を嵌め合わせる切欠き部を設けたことを特徴とするコンクリートブロック。
【請求項２】
上面に係合凸部を設けるとともに、下面に、コンクリートブロックを上下に積み重ねた際に下段側のコンクリートブロックの係合凸部が係合する係合凹部を設けた請求項１に記載のコンクリートブロック。
【請求項３】
係合凸部及び係合凹部を上下方向に整合させて２個ずつ設け、それぞれの係合凸部に吊り棒を係合させる係合穴を設けた請求項２に記載のコンクリートブロック。
【発明の詳細な説明】
【技術分野】
【０００１】
本発明は、廃棄物とセメントと水を混練して得た廃棄物含有コンクリートの周りをモルタル又はコンクリートで被覆したコンクリートブロックに関する。
【背景技術】
【０００２】
一般廃棄物、産業廃棄物などの廃棄物は、加工処理することにより再利用されるものと、廃棄物処分場に廃棄処分されるものとに分けることができる。例えば、古瓦、建築廃材、焼却灰、注射等の医療具等の廃棄物の処分については、その大部分を廃棄物処分場に運搬して廃棄処分しているのが現状である。
【０００３】
廃棄物の処分方法には、廃棄物を焼却処理により発生した焼却灰を固化し廃棄物処分場に運搬して廃棄処分したり、廃棄物を溶融処理して溶融物を水砕してコンクリートの骨材や錘に利用したりする方法が知られている。
【０００４】
また、特許文献１には、成形した産業廃棄物を、コンクリートを流し込んで固化してコンクリートブロックとすることが開示されている。
【０００５】
さらに、特許文献２には、廃棄物とセメントを混練して塊状に成形し、成形済廃棄物を型枠内に浮き上がり状態に挿入し、型枠と成形済廃棄物との間にコンクリートを充填して固化させて、有害物質の漏洩のないブロックとすることが開示されている。
【０００６】
またさらに本願発明者は、特許文献３において、廃棄物とセメントと水を混練して得た廃棄物含有コンクリートブロック又はこれ包み込む防水性シートの周りをモルタル又はコンクリートで被覆してコンクリートとすることを開示している。
【特許文献１】特開２００１−３８３２２号公報
【特許文献２】特開平５−２８５４６６号公報
【特許文献３】特開２００６−２５６３０５号公報
【発明の開示】
【発明が解決しようとする課題】
【０００７】
しかしながら、これらの従来技術によって得られるコンクリートブロックは、単純な角型（角柱）あるいは丸型（円柱）が主流であり、これらのコンクリートブロックを使用して壁面等を構築する際、コンクリートブロックを直線状に配列する場合は問題ないが、曲線状あるいは折れ線状に配列する場合は、各コンクリートブロック間の接合部分に隙間が生じ、強度上あるいは美観上の問題があった。
【０００８】
そこで、本発明は、曲線状あるいは折れ線状に配列しても接合部分に隙間が生じることなく、しかも廃棄物を封じ込めることができるコンクリートブロックを提供するものである。
【課題を解決するための手段】
【０００９】
本発明は、廃棄物とセメントと水を混練して得た廃棄物含有コンクリートの周りをモルタル又はコンクリートで被覆したコンクリートブロックにおいて、正面及び両側面は、同じ曲率の円弧状曲面を有する２本の円柱体を左右対称に配置して形成され、一方の側面に、他方の側面及び正面の曲率と同じ曲率の円弧状であり、かつコンクリートブロックを左右に並べて接合する際に、接合するコンクリートブロックの側面又は正面を嵌め合わせる切欠き部を設けたことを特徴とするものである。
【００１０】
本発明においては、有害物質を含有する廃棄物を使用することが適しており、古瓦、建築廃材、焼却灰、汚泥、アスベスト含有物などを使用することができる。これらの廃棄物は必要に応じて粉砕してセメントと混練し、汚泥などは水分含有量を考慮してコンクリートの添加水分を調整して混練する。
【００１１】
また、本発明のコンクリートブロックにおいては、上面に係合凸部を設けるとともに、下面に、コンクリートブロックを上下に積み重ねた際に下段側のコンクリートブロックの係合凸部が係合する係合凹部を設けることもできる
【００１２】
さらに、係合凸部及び係合凹部を上下方向に整合させて２個ずつ設け、それぞれの係合凸部に吊り棒を係合させる係合穴を設けることもできる。
【発明の効果】
【００１３】
本発明のコンクリートブロックは、コンクリートブロックを左右に並べて接合する際に、接合するコンクリートブロックの側面又は正面を嵌め合わせる円弧状の切欠き部を側面に有するので、曲線状あるいは折れ線状に配列しても接合部分に隙間が生じることなく、強度的及び美観的に優れた壁面等を構築できる。
【００１４】
また、コンクリートブロック内の廃棄物は、その周りをモルタル又はコンクリートで被覆され、コンクリートブロック内に封じ込められているので、廃棄物に起因する有害物質の漏洩を抑えることができ、コンクリートブロックを安全に有効利用することができる。また、廃棄物処分処理場への廃棄物の投棄量を減らすことができる。
【発明を実施するための最良の形態】
【００１５】
以下、図面に示す実施例に基づき本発明の実施の形態を説明する。
【００１６】
図１は本発明のコンクリートブロックを示し、（ａ）は正面図、（ｂ）は平面図、（ｃ）は横断面図である。
【００１７】
本発明のコンクリートブロックＡは、その内部に廃棄物とセメントと水を混練して得た廃棄物含有コンクリートＡ１が封じ込められており、その廃棄物含有コンクリートＡ１の周りをモルタル又はコンクリートＡ２で被覆することにより形成されている。
【００１８】
コンクリートブロックＡの正面１ａ及び両側面１ｂ，１ｃは、同じ曲率の円弧状曲面を有する２本の円柱体１，１を左右対称に配置して形成されている。また、一方の側面１ｂには、他方の側面１ｃ及び正面１ａの曲率と同じ曲率の円弧状の切欠き部２が上下方向の全長にわたって設けられている。この切欠き部２には、後で説明するように、コンクリートブロックＡを左右に並べて接合する際に、接合する他のコンクリートブロックの側面又は正面が嵌め合わせられる。
【００１９】
コンクリートブロックＡの上面には、各円柱体１，１の上面中央位置に係合凸部３，３が設けられており、コンクリートブロックＡの下面には、係合凸部３，３と上下方向に整合する位置に係合凹部４，４が設けられている。この係合凹部４，４には、後で説明するように、コンクリートブロックを上下に積み重ねる際に、下段側のコンクリートブロックの係合凸部３，３が係合する。
【００２０】
係合凸部３，３の上面には、上下方向に係合穴５，５が設けられている。この係合穴５，５には、後で説明するように、コンクリートブロックＡを吊り上げる際に使用する吊り棒を係合させる。なお、コンクリートブロックＡの背面は、平面状に形成されている。
【００２１】
次に本発明のコンクリートブロックの製造方法を説明する。
【００２２】
図２は本発明のコンクリートブロックの製造に使用する型枠を示し、（ａ）は縦断面図、（ｂ）は（ａ）のＩ−Ｉ断面図である。型枠６の内面形状は、図１に示したコンクリートブロックＡの外形形状に対応する形状とされている。また、図１で説明した係合穴５を形成するために、パイプ６ａがこま６ｂによって所定の位置に取り付けられている。
【００２３】
図３は、本発明のコンクリートブロックの製造工程を示す。まず、図３（ａ）に示すように、図２で説明した型枠６に所定量のモルタル又はコンクリートＡ２を投入する。このモルタル又はコンクリートＡ２が流動性を保持している間に、図３（ｂ）に示すように中型７をモルタル又はコンクリートＡ２内に押し込んでいく。そうするとモルタル又はコンクリートＡ２は、型枠６と中型７との間の隙間を上昇し、固化する。この隙間は、図１に示したモルタル又はコンクリートＡ２層の厚みとなるように設定する。
【００２４】
モルタル又はコンクリートＡ２が固化したら中型７を引き抜く。実施例では、中型７に空気吹込孔７ａを設け、この空気吹込孔７ａに空気を吹き込むことで、中型７を引き抜きやすくしている。
【００２５】
その後、図３（ｃ）に示すように、中型７を引き抜いた後の空洞に、廃棄物とセメントと水を混練して得た廃棄物含有コンクリートＡ１を投入する。そして、図３（ｄ）に示すように、廃棄物含有コンクリートＡ１の上にモルタル又はコンクリートＡ２を投入し、固化させ、その後、型枠６を外す。これによって、図１に示したような、廃棄物含有コンクリートＡ１の周りをモルタル又はコンクリートＡ２で被覆したコンクリートブロックＡが得られる。
【００２６】
次に、本発明のコンクリートブロックの使用方法を説明する。
【００２７】
図４は、本発明のコンクリートブロックの横方向（左右方向）の配列例を示す。同図に示すように、コンクリートブロックＡの一方の側面に設けた切欠き部２に隣接するコンクリートブロックＡの側面又は正面を嵌め合わせて接合することにより、各コンクリートブロックＡの横方向の接合角度を任意に設定することができ、曲線状あるいは折れ線状に配列しても接合部分に隙間が生じることはない。
【００２８】
図５は、本発明のコンクリートブロックの縦方向（上下方向）の配列例を示す。同図に示すように、下段側のコンクリートブロックＡの係合凸部３に上段側のコンクリートブロックＡの係合凹部４を係合させることにより、コンクリートブロックＡを千鳥積みにより縦方向に安定して積み上げることができる。
【００２９】
このように、本発明のコンクリートブロックを縦方向あるいは横方向に配列すれば、円柱状のブロックが整然と並んでいるように見え、見ばえも良好である。
【００３０】
また、本発明のコンクリートブロックを縦方向あるいは横方向に配列する際には、図６に示すように吊り具８を使用してコンクリートブロックＡを吊り上げ、移動させることができる。すなわち、コンクリートブロックＡの上面に設けられている２つの係合穴５，５のそれぞれに、吊り具８の一対の吊り板８ａ，８ａに固定された吊り棒８ｂ，８ｂを挿入し、吊り具８によってコンクリートブロックＡを吊り上げると、吊り棒８ｂ，８ｂが係合穴５，５の内周面に突き当たって係合し、コンクリートブロックＡをそのまま吊り上げることができる。
【産業上の利用可能性】
【００３１】
本発明のコンクリートブロックは、河川敷や山間部での土留め用のブロックや各種ブロック塀用のブロックとして利用することができる。
【図面の簡単な説明】
【００３２】
【図１】本発明のコンクリートブロックを示し、（ａ）は正面図、（ｂ）は平面図、（ｃ）は横断面図である。
【図２】本発明のコンクリートブロックの製造に使用する型枠を示し、（ａ）は縦断面図、（ｂ）は（ａ）のＩ−Ｉ断面図である。
【図３】本発明のコンクリートブロックの製造工程を示す。
【図４】本発明のコンクリートブロックの横方向（左右方向）の配列例を示す。
【図５】本発明のコンクリートブロックの縦方向（上下方向）の配列例を示す。
【図６】本発明のコンクリートブロックの吊り上げ要領を示す。
【符号の説明】
【００３３】
Ａ  コンクリートブロック
Ａ１  廃棄物含有コンクリート
Ａ２  モルタル又はコンクリート
１  円柱体
１ａ  正面
１ｂ，１ｃ  側面
２  切欠き部
３  係合凸部
４  係合凹部
５  係合穴
６  型枠
６ａ  パイプ
６ｂ  こま
７  中型
７ａ  空気吹込孔
８  吊り具
８ａ  吊り板
８ｂ  吊り棒
【図１】
2009045797.tif 000003
【図２】
2009045797.tif 000004
【図３】
2009045797.tif 000005
【図４】
2009045797.tif 000006
【図５】
2009045797.tif 000007
【図６】
2009045797.tif 000008